(57)【要約】      （修正有）【課題】安全で、漏水せず、バルブの組み立てが大幅に簡潔化されたブローオフバルブの快速回流装置を提供する。【解決手段】放流バルブとブローオフバルブとを本体に一体化させる。本体にブローオフバルブの各部材を収納する空間と、放流バルブの各部材を収納する流水道を平行に形成する。空間の一方の側に形成された連通道を介して、空間と流水道とを連通させる。【選択図】図１
0003155137.tif 000002
【実用新案登録請求の範囲】
【請求項１】
ブローオフバルブ快速回流装置であって、ブローオフバルブ本体に、レギュレータ制御用の弾性素子、バルブブロックと止水の球形素子、ブローオフ用の回水孔道とバルブ片ユニットからなり、その特徴は、前記ブローオフバルブ本体の進出水の孔道下縁は流水道を設置し、進水側は、連通道により連通し、前記流水道と前記ブローオフバルブ本体の回水孔道が連通して、回水を引流して統一収置し、前記ブローオフバルブ本体内圧は、前記進出、出水両側に分設された前記流水道と前記回水孔道からそれぞれ釈放されて、迅速に降圧し、安全、循環使用目的を達成することを特徴とするブローオフバルブ快速回流装置。
【請求項２】
前記流水道内に、中央が貫通孔を有するバルブ環を設置し、流通孔道を有するバルブ片ユニットと弾性素子は共同でブローオフ装置を構成することを特徴とする請求項１に記載のブローオフバルブ快速回流装置。
【請求項３】
前記バルブ環中央の貫通孔道内は、フィルター缶を設置することを特徴とする請求項２に記載のブローオフバルブ快速回流装置。
【請求項４】
前記バルブ片ユニットは、中央が錘状孔を有する上バルブ片と、導流槽を有するブロックを畳組して形成されることを特徴とする請求項２に記載のブローオフバルブ快速回流装置。
【請求項５】
前記バルブ片の錘状孔と前記ブロックの導流槽は連通することを特徴とする請求項４に記載のブローオフバルブ快速回流装置。
【考案の詳細な説明】
【技術分野】
【０００１】
本考案は、ブローオフバルブの快速回流装置に関するものであって、特に、に関するものである。
【背景技術】
【０００２】
公知の農業用噴霧構造の高圧流通管路中、噴霧高圧水流が、出水時に、安定して出力し、使用停止後、管路内圧が高く、出力末端が漏水する状況の発生を防止するため、通常、機具の流通管路上に、レギュレータ用のバルブを配置し、適時のブローオフにより、管路内部の圧力を迅速に釈放する。ブローオフ制御は、ポンプが運転停止、或いは、出水端閉鎖後、管内の高圧の水流を、適時に、ブローオフし、輸送管路の安全使用の目的を達成する。しかし、公知のブローオフバルブの構造設計は、主に、逆流防止バルブのような単独バルブの設計により、水流がポンプを経て加圧入力され、水圧が設定出水圧力に達すると、回流防止用の弾性バルブを圧制して、出水出力を一定の高圧安定出力に維持して、出水圧力を安定させる。故に、管路中に、適当なブローオフバルブが設置されていないと、ポンプ停止、或いは、運転中断後、出水端の噴霧ヘッドは、管内圧力の低下で噴水を持続させるので、水の浪費だけでなく、環境も汚染する。一般の出水噴霧ヘッドに内置された噴霧バルブは、１．５ｋｇｆ／ｃｍ2の圧力制限下で、管内圧が７ｋｇｆ／ｃｍ2以下になる時、水柱状で噴水を維持し、更に、内圧の低下により、最後には、噴水ヘッドで、不断に漏水する状況が発生する。特に、連接管路が長いほど、漏水がひどくなり、使用場所の清潔と噴霧使用の品質に影響し、主に、輸送管内圧の低下による欠点で、主因は、輸送管内圧力を迅速に低下させないと、内部全体の蓄圧が、末端の噴霧ヘッドに対し出力できないからで、どのようにして、輸送管内の蓄圧による漏水現象を改善し、レギュレータ用のバルブを安全に組み立て、更に、回流を効果的に回収循環利用し、節水、簡潔な組み立てを達成するかが課題である。
【考案の開示】
【考案が解決しようとする課題】
【０００３】
本考案の目的は、連体両側の同時自動ブローオフ設計により、管路内圧が迅速に降圧し、安全で、漏水せず、更に、双方向の同体独立回流連通設計により、バルブの組み立てが大幅に簡潔化され、ポンプ停止後、輸送管路が、蓄圧により延滞して生じる噴霧ヘッドの漏水不良使用状況を効果的に克服し、組み立てが不便で、エコに符合しない欠点を改善するブローオフバルブの快速回流装置を提供することにある。
【課題を解決するための手段】
【０００４】
本考案のブローオフバルブの快速回流装置は、バルブ本体の出力管路下方に、平行に一組の流水道を連設し、バルブユニットを内置して、進水端に近い管路は、増圧ポンプの停止後、給水圧力がバルブユニット設定圧力に低下する時、まず、水流を開放し、バルブ本体の進水、排水両側が、それぞれ、迅速に降圧し、両流水道を連通させ、水管を貯水槽中に連接して、回水を循環回収再利用し、噴霧ヘッドの蓄圧延滞の漏水の発生を防止して、噴霧操作の安全制御を達成し、エコ、衛生使用の目的を達成する。
【考案の効果】
【０００５】
本考案のブローオフバルブの快速回流装置は、同時に、進水、出水両端から迅速に降圧し、管線の内圧の迅速な降圧を確保し、噴霧出水端が漏水の不良使用状況を生成せず、構造の一体設計が組み立てを簡潔にする。
【考案を実施するための最良の形態】
【０００６】
本考案のブローオフバルブの快速回流装置は、一般の高圧噴霧使用時に、ポンプが給水を停止すると、進水管路が設定以下に低下して、ブローオフバルブを自動的に開き、バルブの給水側の水圧が迅速に低下して、蓄圧による出水端の漏水を防止する。図１〜図４は、ブローオフバルブの構造を示す図で、構造設計は、主に、バルブユニットとブローオフバルブ本体（１０）を同体構造にし、本体（１０）の底側に、ほぼ平行な流水道（１１）を有し、本体（１０）内は、弾性素子（１２）により、回水孔道（１３）を推頂するブロック（１４）を有し、その頂縁は滑動ブロック（１５）と進水端頭（１６）を抵接し、進水の封閉と連通を形成する。ブロック（１４）頂縁の滑動ブロック（１５）に相対する内底貫通孔内部は、弾性素子（１７）が、入水口の球形素子（１８）を推頂する。また、出水側に設けられた回水孔道（１３）内に、低圧のブローオフ回流装置を装着し、簡単な弾性素子（１９）により塞入素子（２０）を推頂して、安全封閉操作を達成する。
【０００７】
バルブ本体（１０）の進水側空間は、連通道（２１）により底部の流水道（１１）と連通し、流水道（１１）内部は、安全なブローオフ装置が設置され、封閉したバルブ環（２２）により、中央内部は、貫通孔状になって、フィルター缶（２３）を穿設し、ろ過流通の孔路を形成する。底部は、上バルブ片（２４）とバルブブロック（２５）を相互に畳設してバルブ片ユニットをなし、水流が、中央のフィルター缶（２３）から流通後、バルブ片ユニット上の錘状孔（２６）、及び、導流槽（２７）の連通設置により、共同で、導通孔道引流を組成し、底部は、弾性素子（２８）により推頂され、ポンプが起動した給水初期は、進水が滑動ブロック（１５）頂端を通過して、本体（１０）内部に注入された後、連通道（２１）に沿って、流水道（１１）内に進入し、ブローオフバルブ全体を通過する。弾性素子（２８）は、バルブ片ユニットを上方に推頂して、管路を通じさせ、水流は、中央のフィルター缶（２３）から錘状孔（２６）を経て、導流槽（２７）に達し、ブロック（２５）周縁から管路に回流し、錘状孔の制限により、流出する水流量を給水量より少なくし、本体（１０）内部が適当な圧力値に加圧される時、弾性素子（２８）は圧力を受けて圧縮し、ブロック（２５）が底端に下圧され、適時に、流水道（１１）を封閉し、完全な進水加圧操作を達成し、ポンプ加圧給水噴霧使用の完全な流通管路構造設計を構成する。
【０００８】
噴霧使用時、ポンプの給水を中止し、バルブ本体（１０）のレギュレータ制御により、噴霧操作が適当に出水制御を維持し、出水圧力が、流水道（１１）の弾性素子（２８）の弾力より小さい時、圧力が低下するので、弾性素子（２８）が上にバルブ片を押し上げて、流通の孔道を形成し、このとき、本体（１０）内部の進水側に近い水流は、迅速に、連通道（２１）から流出すると共に、本体（１０）のもう一側の回水孔道（１３）に引流し、低圧のブローオフ回流装置を経て貯水槽に回流し、圧力の低下を継続させた後、本体（１０）の出水圧力が迅速に、本体（１０）内のブロック（１４）が弾性素子（１２）を推頂する弾力まで低下する時、ブロック（１４）が推力を受けて、滑動ブロック（１５）が進水口を封閉し、同時に、バルブ本体（１０）の出水側に設けられた回水孔口を開き、本体（１０）内の水圧を快速に最低圧状態にし、本体（１０）内圧が最低になる。ブロック（１４）頂端の球形素子（１８）は、ポンプが加圧を中止する時、流水道（１１）内のバルブ片ユニットをブローオフした後、進水側が迅速に圧力を低下して、弾性素子（１２）が進水端に向かって推頂され、入水口部を封閉して、進水操作を停止する。出水が圧力低下を持続させ、出水側の回水孔道（１３）の回流が迅速に降圧し、出水が完全に中止され、回収管路の設計により、貯水槽に回収され、噴霧循環使用を達成する。
【０００９】
本考案は、直接、バルブ本体（１０）内の出水孔道下方に、一組の連通したブローオフ補助用の流水道（１１）を設置し、進水端は、連通道（２１）により連通し、噴霧使用中断でポンプの運転を停止する時、噴水出水圧力が比較的高い圧力値に低下する時、一般の噴霧圧力は通常、３０ｋｇｆ／ｃｍ2以上の使用で、ポンプの運転中止後、輸送水管内の圧力が高圧輸送状になり、継続して噴霧使用が可能である。圧力が約１５ｋｇｆ／ｃｍ2以下の時、流水道（１１）内のブローオフ補助バルブユニットは自動的に開き、進水側でブローオフ操作を実行して、迅速に降圧操作し、本体（１０）内部圧力が、約８ｋｇｆ／ｃｍ2になるとき、本体（１０）の回流装置は、出水ブロック（１４）が弾性を受けて、進水側に推頂されて滑移し、球形素子（１８）が入水口部を封閉した後、水流は、迅速に、回水孔道（１３）から流出し、ブローオフを加速し、本体（１０）内圧が迅速に減圧されて、安全、不漏水の使用状態を達成し、噴霧制御を確保する。段階ごとの異なる圧力のブローオフ設計により、進水、出水両端は、ほぼ同時に降圧し、噴霧が安全、清潔に使用できるだけでなく、構造が一体で、組み立てが便利な特性を有し、組み立て技術に依存せず、噴霧制御が更に精確で、ポンプの進水、出水制御が更に安定、円滑で、特に、回水の収置上、同一の回流孔道の引流により回収し、更に、完全に無駄にしない回収使用目的を達成する。
【００１０】
上述のように、本考案のブローオフバルブの快速回流装置は、直接、バルブ本体内部の進水端に、回流装置を設置し、出水側の孔道と連通し、ポンプ停止時、バルブ本体の回流装置により、まず、進水側の水圧を迅速に低下させて、進水を止め、バルブ本体の回水降圧設計により、同時に、進水、出水両端から迅速に降圧し、管線の内圧の迅速な降圧を確保し、噴霧出水端が漏水の不良使用状況を生成せず、構造の一体設計が組み立てを簡潔にする。
【図面の簡単な説明】
【００１１】
【図１】本考案のブローオフバルブの立体分解図である。
【図２】本考案の外観参考図である。
【図３】本考案のバルブ増圧出水使用の平面図である。
【図４】本考案のバルブ回水ブローオフ操作の平面図である。
【符号の説明】
【００１２】
１０  本体
１１  流水道
１２  弾性素子
１３  回水孔道
１４  ブロック
１５  滑動ブロック
１６  進水端頭
１７  弾性素子
１８  球状素子
１９  弾性素子
２０  塞入素子
２１  連通道
２２  バルブ環
２３  フィルター缶
２４  上バルブ片
２５  バルブブロック
２６  錘状孔
２７  導流槽
２８  弾性素子
【図１】
0003155137.tif 000003
【図２】
0003155137.tif 000004
【図３】
0003155137.tif 000005
【図４】
0003155137.tif 000006
【手続補正書】
【提出日】平成21年2月10日(2009.2.10)
【手続補正１】
【補正対象書類名】実用新案登録請求の範囲
【補正対象項目名】請求項１
【補正方法】変更
【補正の内容】
【請求項１】
ブローオフバルブ快速回流装置であって、ブローオフバルブ本体からなり、前記バルブ本体は、圧力制御用の弾性素子、バルブブロックと止水の球形素子、ブローオフ用の還元水流路とバルブ片ユニットからなり、その特徴は、前記バルブ本体は、水口と排出口の流水道を設置し、下に水排出チャネルも形成し、前記本体の水口側で、通路により流水道と連通し、前記水排出チャネルは、前記本体の還元水流路と疎通するように設置されて、前記水排出チャネルにより、還元水が再収集され、よって、前記バルブ本体内圧が前記本体の前記水口と排出口両側で釈放されて、迅速に降圧し、安全、循環使用目的を達成することを特徴とするブローオフバルブ快速回流装置。
【手続補正２】
【補正対象書類名】明細書
【補正対象項目名】０００６
【補正方法】変更
【補正の内容】
【０００６】
本考案のブローオフバルブの快速回流装置は、一般の高圧噴霧使用時に、ポンプが給水を停止すると、進水管路が設定以下に低下して、ブローオフバルブを自動的に開き、バルブの給水側の水圧が迅速に低下して、蓄圧による出水端の漏水を防止する。図１〜図４は、ブローオフバルブの構造を示す図で、構造設計は、主に、バルブユニットとブローオフバルブ本体（１０）を同体構造にし、本体（１０）の底側に、ほぼ平行な流水道（１１）を有し、本体（１０）内は、弾性素子（１２）により、還元水流路（１３）を推頂するブロック（１４）を有し、その頂縁は滑動ブロック（１５）と進水端頭（１６）を抵接し、進水の封閉と連通を形成する。ブロック（１４）頂縁の滑動ブロック（１５）に相対する内底貫通孔内部は、弾性素子（１７）が、入水口の球形素子（１８）を推頂する。また、出水側に設けられた還元水流路（１３）内に、低圧のブローオフ回流装置を装着し、簡単な弾性素子（１９）により塞入素子（２０）を推頂して、安全封閉操作を達成す
【手続補正３】
【補正対象書類名】明細書
【補正対象項目名】０００８
【補正方法】変更
【補正の内容】
【０００８】
噴霧使用時、ポンプの給水を中止し、バルブ本体（１０）のレギュレータ制御により、噴霧操作が適当に出水制御を維持し、出水圧力が、流水道（１１）の弾性素子（２８）の弾力より小さい時、圧力が低下するので、弾性素子（２８）が上にバルブ片を押し上げて、流通の孔道を形成し、このとき、本体（１０）内部の進水側に近い水流は、迅速に、連通道（２１）から流出すると共に、本体（１０）のもう一側の還元水流路（１３）に引流し、低圧のブローオフ回流装置を経て貯水槽に回流し、圧力の低下を継続させた後、本体（１０）の出水圧力が迅速に、本体（１０）内のブロック（１４）が弾性素子（１２）を推頂する弾力まで低下する時、ブロック（１４）が推力を受けて、滑動ブロック（１５）が進水口を封閉し、同時に、バルブ本体（１０）の出水側に設けられた回水孔口を開き、本体（１０）内の水圧を快速に最低圧状態にし、本体（１０）内圧が最低になる。ブロック（１４）頂端の球形素子（１８）は、ポンプが加圧を中止する時、流水道（１１）内のバルブ片ユニットをブローオフした後、進水側が迅速に圧力を低下して、弾性素子（１２）が進水端に向かって推頂され、入水口部を封閉して、進水操作を停止する。出水が圧力低下を持続させ、出水側の還元水流路（１３）の回流が迅速に降圧し、出水が完全に中止され、回収管路の設計により、貯水槽に回収され、噴霧循環使用を達成する。
【手続補正４】
【補正対象書類名】明細書
【補正対象項目名】０００９
【補正方法】変更
【補正の内容】
【０００９】
本考案は、直接、バルブ本体（１０）内の出水孔道下方に、一組の連通したブローオフ補助用の流水道（１１）を設置し、進水端は、連通道（２１）により連通し、噴霧使用中断でポンプの運転を停止する時、噴水出水圧力が比較的高い圧力値に低下する時、一般の噴霧圧力は通常、３０ｋｇｆ／ｃｍ2以上の使用で、ポンプの運転中止後、輸送水管内の圧力が高圧輸送状になり、継続して噴霧使用が可能である。圧力が約１５ｋｇｆ／ｃｍ2以下の時、流水道（１１）内のブローオフ補助バルブユニットは自動的に開き、進水側でブローオフ操作を実行して、迅速に降圧操作し、本体（１０）内部圧力が、約８ｋｇｆ／ｃｍ2になるとき、本体（１０）の回流装置は、出水ブロック（１４）が弾性を受けて、進水側に推頂されて滑移し、球形素子（１８）が入水口部を封閉した後、水流は、迅速に、還元水流路（１３）から流出し、ブローオフを加速し、本体（１０）内圧が迅速に減圧されて、安全、不漏水の使用状態を達成し、噴霧制御を確保する。段階ごとの異なる圧力のブローオフ設計により、進水、出水両端は、ほぼ同時に降圧し、噴霧が安全、清潔に使用できるだけでなく、構造が一体で、組み立てが便利な特性を有し、組み立て技術に依存せず、噴霧制御が更に精確で、ポンプの進水、出水制御が更に安定、円滑で、特に、回水の収置上、同一の回流孔道の引流により回収し、更に、完全に無駄にしない回収使用目的を達成する。
【手続補正５】
【補正対象書類名】明細書
【補正対象項目名】００１３
【補正方法】変更
【補正の内容】
【００１３】
１０  本体
１１  流水道
１２  弾性素子
１３  還元水流路
１４  ブロック
１５  滑動ブロック
１６  進水端頭
１７  弾性素子
１８  球状素子
１９  弾性素子
２０  塞入素子
２１  連通道
２２  バルブ環
２３  フィルター缶
２４  上バルブ片
２５  バルブブロック
２６  錘状孔
２７  導流槽
２８  弾性素子
【手続補正書】
【提出日】平成21年6月5日(2009.6.5)
【手続補正１】
【補正対象書類名】実用新案登録請求の範囲
【補正対象項目名】全文
【補正方法】変更
【補正の内容】
【実用新案登録請求の範囲】
【請求項１】
放流バルブとブローオフバルブとを本体に一体化させて構成するローオフバルブ快速回流装置であって、
該本体にブローオフバルブを構成する各部材を収納する空間であって、かつ水流の経路となる空間を軸方向に沿って形成するとともに、該本体の一方の側には該空間に平行する流水道であって、放流バルブを構成する各部材を収納する流水道を形成し、
該本体に形成する該空間内には、第１弾性部材と、該第１弾性部材に弾接して放流バルブの排水側の還元水流路を閉鎖するブロックと、一端が該ブロックに当接して該ブロックに連動する滑動ブロックと、一端が該滑動ブロックに当接する流入端ソケットとを設け、  
該ブロックには軸線に沿って貫通する通路を形成し、かつ該ブロックの該通路には、該滑動ブロックに対向する側の開口部から第２弾性部材を設け、さらに該第２弾性部材に弾接してブローオフバルブの水の進入口を閉鎖する球形部材を設け、
該本体の排水側に還元水流路を形成し、該還元水流路内に、第３弾性部材と、該第３弾性部材に弾接して該還元水流路を閉鎖する閉塞部材とによってなる低圧のブローオフ回流装置を組み付け、
該本体を軸方向に貫通するブローオフバルブの空間は、水の流入する一方の側に連通道を形成し、該連通道を介して放流バルブを構成する各部材を収納する該流水道と連通させることを特徴とするブローオフバルブ快速回流装置。
【請求項２】
前記放流バルブを構成する各部材を収納する流水道には、中心部を軸方向に貫通する通路を形成した筒状部材と、一端が該筒状部材に当接する弁体部と、一端が該弁体部に弾接する第４弾性部材とを設けて放流手段を構成することを特徴とする請求項２に記載のブローオフバルブ快速回流装置。
【請求項３】
前記筒状部材の中心部を軸方向に貫通する通路にろ過部材を挿設して、ろ過作用を具えた水の流通路を形成することを特徴とする請求項２に記載のブローオフバルブ快速回流装。
【請求項４】
前記弁体部が、内壁が傾斜してテーパ状を呈する錘状孔を形成した上バルブ片と、ガイド溝を形成したバルブブロックと、を重ねてなることを特徴とする請求項２に記載のローオフバルブ快速回流装。
【請求項５】
前記上バルブ片の該錘状孔が、該バルブブロックの該ガイド溝に連通して水流をガイドする通路を形成することを特徴とする請求項４に記載のブローオフバルブ快速回流装。
【手続補正２】
【補正対象書類名】明細書
【補正対象項目名】全文
【補正方法】変更
【補正の内容】
【考案の詳細な説明】
【技術分野】
【０００１】
本考案は、ブローオフバルブの快速回流装置に関する。
【背景技術】
【０００２】
公知の農業用噴霧構造の高圧流通管路中、噴霧高圧水流が、出水時に、安定して出力し、使用停止後、管路内圧が高く、出力末端が漏水する状況の発生を防止するため、通常、機具の流通管路上に、レギュレータ用のバルブを配置し、適時のブローオフにより、管路内部の圧力を迅速に釈放する。ブローオフ制御は、ポンプが運転停止、或いは、出水端閉鎖後、管内の高圧の水流を、適時に、ブローオフし、輸送管路の安全使用の目的を達成する。しかし、公知のブローオフバルブの構造設計は、主に、逆流防止バルブのような単独バルブの設計により、水流がポンプを経て加圧入力され、水圧が設定出水圧力に達すると、回流防止用の弾性バルブを圧制して、出水出力を一定の高圧安定出力に維持して、出水圧力を安定させる。故に、管路中に、適当なブローオフバルブが設置されていないと、ポンプ停止、或いは、運転中断後、出水端の噴霧ヘッドは、管内圧力の低下で噴水を持続させるので、水の浪費だけでなく、環境も汚染する。一般の出水噴霧ヘッドに内置された噴霧バルブは、１．５ｋｇｆ／ｃｍ2の圧力制限下で、管内圧が７ｋｇｆ／ｃｍ2以下になる時、水柱状で噴水を維持し、更に、内圧の低下により、最後には、噴水ヘッドで、不断に漏水する状況が発生する。特に、連接管路が長いほど、漏水がひどくなり、使用場所の清潔と噴霧使用の品質に影響し、主に、輸送管内圧の低下による欠点で、主因は、輸送管内圧力を迅速に低下させないと、内部全体の蓄圧が、末端の噴霧ヘッドに対し出力できないからで、どのようにして、輸送管内の蓄圧による漏水現象を改善し、レギュレータ用のバルブを安全に組み立て、更に、回流を効果的に回収循環利用し、節水、簡潔な組み立てを達成するかが課題である。
【考案の開示】
【考案が解決しようとする課題】
【０００３】
本考案の目的は、連体両側の同時自動ブローオフ設計により、管路内圧が迅速に降圧し、安全で、漏水せず、更に、双方向の同体独立回流連通設計により、バルブの組み立てが大幅に簡潔化され、ポンプ停止後、輸送管路が、蓄圧により延滞して生じる噴霧ヘッドの漏水不良使用状況を効果的に克服し、組み立てが不便で、エコに符合しない欠点を改善するブローオフバルブの快速回流装置を提供することにある。
【課題を解決するための手段】
【０００４】
本考案のブローオフバルブの快速回流装置は、バルブ本体の出力管路下方に、平行に一組の流水道を連設し、バルブユニットを内置して、進水端に近い管路は、増圧ポンプの停止後、給水圧力がバルブユニット設定圧力に低下する時、まず、水流を開放し、バルブ本体の進水、排水両側が、それぞれ、迅速に降圧し、両流水道を連通させ、水管を貯水槽中に連接して、回水を循環回収再利用し、噴霧ヘッドの蓄圧延滞の漏水の発生を防止して、噴霧操作の安全制御を達成し、エコ、衛生使用の目的を達成する。
【考案の効果】
【０００５】
本考案のブローオフバルブの快速回流装置は、同時に、進水、出水両端から迅速に降圧し、管線の内圧の迅速な降圧を確保し、噴霧出水端が漏水の不良使用状況を生成せず、構造の一体設計が組み立てを簡潔にする。
【考案を実施するための最良の形態】
【０００６】
本考案のブローオフバルブの快速回流装置は、一般の高圧噴霧装置に提供するものであって、使用時においてポンプによる給水が停止し、進水管路内の圧力が予め設定された圧力値以下に低下すると、ブローオフバルブが自動的に開放されてバルブの給水側の水圧を迅速に低下させる。このため圧力の蓄積によって発生する出水端から水が漏れて滴下するという不具合を防ぐことができる。
【０００７】
図１〜図４に開示するように、この考案による装置の構造は、放流バルブとブローオフバルブとを本体（１０）に一体化させて構成する。即ち、本体（１０）にブローオフバルブを構成する各部材を収納する空間であって、かつ水流の経路となる空間を軸方向に沿って形成し、また本体（１０）の一方の側には該空間に平行する流水道（１１）を形成して、放流バルブを構成する各部材を収納する。
【０００８】
本体（１０）に形成する該空間内には、第１弾性部材（１２）と、第１弾性部材（１２）に弾接して放流バルブの排水側の還元水流路（１３）を閉鎖するブロック（１４）と、一端がブロック（１４）に当接してブロック（１４）に連動する滑動ブロック（１５）と、一端が滑動ブロック（１５）に当接する流入端ソケット（１６）とを設ける。
【０００９】
ブロック（４０）には軸線に沿って貫通する通路を形成し、かつブロック（４０）の該通路には、滑動ブロック（１５）に対向する側の開口部から第２弾性部材（１７）を設け、さらに第２弾性部材（１７）に弾接し、ブローオフバルブの水の進入口を閉鎖する球形部材（１８）を設ける。
【００１０】
本体（１０）には、排水側に還元水流路（１３）を形成し、還元水流路（１３）内に、低圧のブローオフ回流装置を組み付ける。該低圧のブローオフ装置は、第３弾性部材（１９）と、第３弾性部材（１９）に弾接して還元水流路（１３）を閉鎖する閉塞部材（２０）とによってなる簡易な構造を具える。
【００１１】
本体（１０）を軸方向に貫通するブローオフバルブの空間は、水の流入する一方の側に連通道（２１）を形成し、連通道（２１）を介して流水道（１１）と連通する。流水道（１１）内には、放流手段を設ける。即ち、流水道（１１）内に、流水道（１１）を閉塞する筒状部材（２２）を設ける。筒状部材（２２）は、中心部を軸方向に貫通する通路を形成し、該通路にろ過部材（２３）を挿設して、ろ過作用を具えた水の流通路を形成する。
【００１２】
さらに、筒状部材（２２）の連通道（２１）側には、内壁が傾斜してテーパ状を呈する錘状孔（２６）を形成した上バルブ片（２４）と、ガイド溝（２７）を形成したバルブブロック（２５）と、を重ねてなる弁体部を設ける。上バルブ片（２４）の錘状孔（２６）は、バルブブロック（２５）のガイド溝に連通して水流をガイドする通路を形成する。よって、筒状部材（２２）の中心部を軸方向に沿って貫通する通路に流入し、ろ過部材（２３）を通過した水流は、弁体部の上バルブ片（２４）の錘状孔（２６）とバルブブロック（２５）のガイド溝（１７）とが連通して形成されるガイド通路を通過してガイドされる。
【００１３】
上バルブ片（２４）とバルブブロック（２５）とを重ねてなる前記弁体部は、流水道（１１）側の一端が第４弾性体（２８）に弾接する。
【００１４】
ポンプが起動した給水初期は、進水が滑動ブロック（１５）頂端を通過して、本体（１０）内部に注入された後、連通道（２１）に沿って、流水道（１１）内に進入し、ブローオフバルブ全体を通過する。第３弾性部材（２８）は、バルブ片ユニットを上方に推頂して、管路を通じさせ、水流は、中央のろ過部材（２３）から錘状孔（２６）を経て、ガイド溝（２７）に達し、ブロック（２５）周縁から管路に回流し、錘状孔の制限により、流出する水流量を給水量より少なくし、本体（１０）内部が適当な圧力値に加圧される時、第３弾性部材（２８）は圧力を受けて圧縮し、ブロック（２５）が底端に下圧され、適時に、流水道（１１）を封閉し、完全な進水加圧操作を達成し、ポンプ加圧給水噴霧使用の完全な流通管路構造設計を構成する。
【００１５】
噴霧使用時、ポンプの給水を中止し、バルブ本体（１０）のレギュレータ制御により、噴霧操作が適当に出水制御を維持し、出水圧力が、流水道（１１）の第３弾性部材（２８）の弾力より小さい時、圧力が低下するので、第３弾性部材（２８）が上にバルブ片を押し上げて、流通の孔道を形成し、このとき、本体（１０）内部の進水側に近い水流は、迅速に、連通道（２１）から流出すると共に、本体（１０）のもう一側の還元水流路（１３）に引流し、低圧のブローオフ回流装置を経て貯水槽に回流し、圧力の低下を継続させた後、本体（１０）の出水圧力が迅速に、本体（１０）内のブロック（１４）が第１弾性部材（１２）を推頂する弾力まで低下する時、ブロック（１４）が推力を受けて、滑動ブロック（１５）が進水口を封閉し、同時に、バルブ本体（１０）の出水側に設けられた回水孔口を開き、本体（１０）内の水圧を快速に最低圧状態にし、本体（１０）内圧が最低になる。ブロック（１４）頂端の球形部材（１８）は、ポンプが加圧を中止する時、流水道（１１）内のバルブ片ユニットをブローオフした後、進水側が迅速に圧力を低下して、第１弾性部材（１２）が進水端に向かって推頂され、入水口部を封閉して、進水操作を停止する。出水が圧力低下を持続させ、出水側の還元水流路（１３）の回流が迅速に降圧し、出水が完全に中止され、回収管路の設計により、貯水槽に回収され、噴霧循環使用を達成する。
【００１６】
本考案は、直接、バルブ本体（１０）内の出水孔道下方に、一組の連通したブローオフ補助用の流水道（１１）を設置し、進水端は、連通道（２１）により連通し、噴霧使用中断でポンプの運転を停止する時、噴水出水圧力が比較的高い圧力値に低下する時、一般の噴霧圧力は通常、３０ｋｇｆ／ｃｍ2以上の使用で、ポンプの運転中止後、輸送水管内の圧力が高圧輸送状になり、継続して噴霧使用が可能である。圧力が約１５ｋｇｆ／ｃｍ2以下の時、流水道（１１）内のブローオフ補助バルブユニットは自動的に開き、進水側でブローオフ操作を実行して、迅速に降圧操作し、本体（１０）内部圧力が、約８ｋｇｆ／ｃｍ2になるとき、本体（１０）の回流装置は、出水ブロック（１４）が弾性を受けて、進水側に推頂されて滑移し、球形素子（１８）が入水口部を封閉した後、水流は、迅速に、還元水流路（１３）から流出し、ブローオフを加速し、本体（１０）内圧が迅速に減圧されて、安全、不漏水の使用状態を達成し、噴霧制御を確保する。段階ごとの異なる圧力のブローオフ設計により、進水、出水両端は、ほぼ同時に降圧し、噴霧が安全、清潔に使用できるだけでなく、構造が一体で、組み立てが便利な特性を有し、組み立て技術に依存せず、噴霧制御が更に精確で、ポンプの進水、出水制御が更に安定、円滑で、特に、回水の収置上、同一の回流孔道の引流により回収し、更に、完全に無駄にしない回収使用目的を達成する。
【００１７】
上述のように、本考案のブローオフバルブの快速回流装置は、直接、バルブ本体内部の進水端に、回流装置を設置し、出水側の孔道と連通し、ポンプ停止時、バルブ本体の回流装置により、まず、進水側の水圧を迅速に低下させて、進水を止め、バルブ本体の回水降圧設計により、同時に、進水、出水両端から迅速に降圧し、管線の内圧の迅速な降圧を確保し、噴霧出水端が漏水の不良使用状況を生成せず、構造の一体設計が組み立てを簡潔にする。
【図面の簡単な説明】
【００１８】
【図１】本考案のブローオフバルブの立体分解図である。
【図２】本考案の外観参考図である。
【図３】本考案のバルブ増圧出水使用の平面図である。
【図４】本考案のバルブ回水ブローオフ操作の平面図である。
【符号の説明】
【００１９】
１０  本体
１１  流水道
１２  第１弾性部材
１３  還元水流路
１４  ブロック
１５  滑動ブロック
１６  流入端ソケット
１７  第２弾性部材
１８  球状部材
１９  第３弾性部材
２０  閉塞部材
２１  連通道
２２  筒状部材
２３  ろ過部材
２４  上バルブ片
２５  バルブブロック
２６  錘状孔
２７  ガイド溝
２８  第４弾性部材
【手続補正書】
【提出日】平成21年8月24日(2009.8.24)
【手続補正１】
【補正対象書類名】実用新案登録請求の範囲
【補正対象項目名】請求項１
【補正方法】変更
【補正の内容】
【請求項１】
放流バルブとブローオフバルブとを本体に一体化させて構成するブローオフバルブ快速回流装置であって、
該本体にブローオフバルブを構成する各部材を収納する空間であって、かつ水流の経路となる空間を軸方向に沿って形成するとともに、該本体の一方の側には該空間に平行する流水道であって、放流バルブを構成する各部材を収納する流水道を形成し、
該本体に形成する該空間内には、第１弾性部材と、該第１弾性部材に弾接して放流バルブの排水側の還元水流路を閉鎖するブロックと、一端が該ブロックに当接して該ブロックに連動する滑動ブロックと、一端が該滑動ブロックに当接する流入端ソケットとを設け、  
該ブロックには軸線に沿って貫通する通路を形成し、かつ該ブロックの該通路には、該滑動ブロックに対向する側の開口部から第２弾性部材を設け、さらに該第２弾性部材に弾接してブローオフバルブの水の進入口を閉鎖する球形部材を設け、
該本体の排水側に還元水流路を形成し、該還元水流路内に、第３弾性部材と、該第３弾性部材に弾接して該還元水流路を閉鎖する閉塞部材とによってなる低圧のブローオフ回流装置を組み付け、
該本体を軸方向に貫通するブローオフバルブの空間は、水の流入する一方の側に連通道を形成し、該連通道を介して放流バルブを構成する各部材を収納する該流水道と連通させることを特徴とするブローオフバルブ快速回流装置。
【手続補正２】
【補正対象書類名】実用新案登録請求の範囲
【補正対象項目名】請求項２
【補正方法】変更
【補正の内容】
【請求項２】
前記放流バルブを構成する各部材を収納する流水道には、中心部を軸方向に貫通する通路を形成した筒状部材と、一端が該筒状部材に当接する弁体部と、一端が該弁体部に弾接する第４弾性部材とを設けて放流手段を構成することを特徴とする請求項１に記載のブローオフバルブ快速回流装置。
【手続補正３】
【補正対象書類名】実用新案登録請求の範囲
【補正対象項目名】請求項３
【補正方法】変更
【補正の内容】
【請求項３】
前記筒状部材の中心部を軸方向に貫通する通路にろ過部材を挿設して、ろ過作用を具えた水の流通路を形成することを特徴とする請求項２に記載のブローオフバルブ快速回流装置。
【手続補正４】
【補正対象書類名】実用新案登録請求の範囲
【補正対象項目名】請求項４
【補正方法】変更
【補正の内容】
【請求項４】
前記弁体部が、内壁が傾斜してテーパ状を呈する錘状孔を形成した上バルブ片と、ガイド溝を形成したバルブブロックと、を重ねてなることを特徴とする請求項２に記載のブローオフバルブ快速回流装置。
【手続補正５】
【補正対象書類名】実用新案登録請求の範囲
【補正対象項目名】請求項５
【補正方法】変更
【補正の内容】
【請求項５】
前記上バルブ片の該錘状孔が、該バルブブロックの該ガイド溝に連通して水流をガイドする通路を形成することを特徴とする請求項４に記載のブローオフバルブ快速回流装置。